(57)【特許請求の範囲】
【請求項１】
元竿の竿元側端内に装入される尻栓本体部と前記尻栓本体部の竿元側に形成される摘み操作部とで尻栓を形成し、前記尻栓本体部に、元竿の竿元側端部の内周面に形成された雌ネジ部に螺合する雄ネジ部と、前記雄ネジ部形成部位の竿元側に前記雄ねじ部のネジ外径より小径の回転面部とを形成し、前記元竿の竿元側端部における前記雌ネジ部形成部位より竿先側に前記雌ネジ部のネジ内径より大径でかつ前記雄ネジ部が入り込むことのできる装入内部空間を形成し、
前記尻栓を螺進させることによって、前記雄ネジ部と前記雌ネジ部との螺合が外れ、前記雄ネジ部が前記装入内部空間内に位置し、かつ、前記回転面部が前記雌ネジ部の形成部位に至り支持される状態で、前記尻栓は外力を受けて竿軸芯Ｘ周りに螺進することなく回転する釣り竿。
【請求項２】
前記元竿の竿元側端に竿元側に向けて突出する係合支持部を形成するとともに、前記尻栓の摘み操作部における竿先側端面から竿先側に向けて、前記尻栓を前記元竿に装着する際に前記係合支持部に竿元側から係合して支持される係合突起部を延出し、前記尻栓本体部に形成した雄ネジ部を前記装入内部空間内に位置させた状態で、前記係合突起部が前記係合支持部に竿元側から係合して、前記尻栓を回転支持すべく構成してある請求項１記載の釣り竿。
【請求項３】
前記尻栓本体部を、前記雄ネジ部と前記回転面部とを形成した筒状アダプター部と、その筒状アダプター部を被嵌合支持する本体部とで構成する請求項１または２記載の釣り竿。
【発明の詳細な説明】
【技術分野】
【０００１】
本発明は、元竿の竿元側端部に尻栓を装着している釣り竿に関する。
【背景技術】
【０００２】
尻栓は、元竿の竿元側端部内に装入される尻栓本体部としての取付筒軸部（公報内番号：６Ａ）と前記尻栓本体部の竿元側に形成される摘み操作部としての摘み部（公報内番号：６Ｂ）とで形成されていた。取付筒軸部には元竿の竿元側端部の内周面に形成された雌ネジ部に螺合する雄ネジ部のみが形成されていた。
そして、元竿に尻栓を取付た状態では、取付筒軸部が元竿の竿元側端部の内部空間内に装入された状態となり、摘み操作部が元竿の竿元端から外方に位置してその摘み操作部の竿先側端面が元竿の竿元側端面に当接する状態になっていた（特許文献１）
【先行技術文献】
【特許文献】
【０００３】
【特許文献１】特開２００８−２００００３号公報（段落番号〔００２４〕、及び、図１）
【発明の概要】
【発明が解決しようとする課題】
【０００４】
一般的な釣り操作時には、元竿の竿元側端に位置する尻栓の摘み操作部を腹部に当て付けて、魚の横走りを抑えるために釣り竿を横倒し姿勢にしたり、或いは、根に入ろうとして海中に潜り込もうとする魚の動きを抑えるために釣り竿を上向きに持ち上げようとする。
そのような場合に、腹部に当て付けた尻栓が釣り竿の横倒れ姿勢への切り換えや上向き姿勢への切り換えに伴って、腹部によって回転操作されることがあり、緩みを生ずることがあった。
そして、緩みを生じたことに気が付かないと、仕掛けの投入や抜き上げ操作を行っている最中に、尻栓を紛失することがある。
【０００５】
本発明の目的は、釣り操作時や釣り場に釣り竿を携行する場合にも、尻栓の緩みを抑制して、尻栓を紛失することを抑制する釣り竿を提供する点にある。
【課題を解決するための手段】
【０００６】
〔構成〕
請求項１に係る発明の特徴構成は、元竿の竿元側端部の内周面に形成された雌ネジ部に螺合する雄ネジ部と、前記雄ネジ部の形成部位より竿元側に前記雄ねじ部のネジ外径より小径の回転面部とを形成し、前記元竿の竿元側端部における前記雌ネジ部形成部位より竿先側に前記雌ネジ部のネジ内径より大径でかつ前記雄ネジ部が入り込むことのできる装入内部空間を形成し、
前記尻栓を螺進させることによって、前記雄ネジ部と前記雌ネジ部との螺合が外れ、前記雄ネジ部が前記装入内部空間内に位置し、かつ、前記回転面部が前記雌ネジ部の形成部位に至り支持される状態で、前記尻栓は外力を受けて竿軸芯Ｘ周りに螺進することなく回転する点にあり、その作用効果は次の通りである。
【０００７】
〔作用〕
尻栓の構造として、元竿の竿元側端部内に装入される部分に、従来、元竿の竿元側端部の内周面に形成された雌ネジ部に螺合する雄ネジ部だけを形成していたのを、その雄ネジ部形成部位の竿元側に、前記雄ネジ部のネジ外径より小径の回転面部を形成した。
つまり、雄ネジ部とともに回転面部を形成することによって、次のような使用が可能となる。尻栓を元竿の竿元側端部に取付け、或いは、取り外しする際には、雄ネジ部を元竿の竿元側端部の内周面に形成した雌ネジ部に螺合させて、取付け、取り外し操作を行う。
【０００８】
一方、尻栓を装着して釣り場に出向く場合や釣り操作を行う場合には、雄ネジ部を前記した雌ネジ部との螺合を解除するまで回転させて、雄ネジ部を前記した元竿の竿元側端部の雌ねじ部形成部位より竿先側に形成されている装入内部空間に位置させるようにする。そうすると、雄ネジ部は装入内部空間内に位置し、雄ネジを形成していない回転面部が元竿の竿元側端部の内周面に形成された雌ネジ部に対応する位置に位置することとなる。
【０００９】
そうすると、前記したように、腹部に尻栓を押し当てて竿捌きをおこなう際に、腹部が尻栓を回転させたとしても、いわゆる、尻栓は雌ネジ部に支持された回転面部によって空回りをするだけで元竿から外れることはない。
一旦、雄ネジ部を装入内部空間内に位置させた状態から、尻栓を取り外すには、尻栓を持って竿元側に引き操作しながら雄ネジ部を雌ネジ部に螺合させることによって、回転取り外しが可能である。
【００１０】
〔効果〕
このように、尻栓においては、雄ネジ部とともに回転面部を形成する一方、元竿においては、雌ネジ部形成部位より奥側の竿先側に雌ネジ部のネジ内径より大径で雄ネジ部とは螺合しない装入内部空間を形成する工夫を施すことによって、ネジ構造を使用して元竿への着脱操作を簡易に行うことができながら、尻栓を紛失することを抑制できる尻栓取付構造を持った釣り竿を提供できるに至った。
【００１１】
〔構成〕
請求項２に係る発明の特徴構成は、前記元竿の竿元側端に竿元側に向けて突出する係合支持部を形成するとともに、前記尻栓の摘み操作部における竿先側端面から竿先側に向けて、前記尻栓を前記元竿に装着する際に前記係合支持部に竿元側から係合して支持される係合突起部を延出し、前記尻栓本体部に形成した雄ネジ部を前記装入内部空間内に位置させた状態で、前記係合突起部が前記係合支持部に竿元側から係合して、前記尻栓を回転支持すべく構成してある点にあり、その作用効果は次の通りである。
【００１２】
〔作用効果〕
尻栓本体部の雄ネジ部を元竿の装入内部空間内に位置させるまで押し込むと尻栓側の係合突起部が元竿側の前記係合支持部に係合する。このことによって、尻栓は係合支持部に支持されて、回転することが可能になる。
このような構成を採ることによって、雄ネジ部を元竿の装入内部空間内に位置させて尻栓を回転させる状態に取付た場合にも、尻栓の尻栓本体部に形成された回転面部が直接雌ネジ部に接触しない状態を現出することができ、両者が相対回転する状態であっても、回転面部及び雌ネジ部のネジ山を傷めない構成とすることができる。
【００１３】
〔構成〕
請求項３に係る発明の特徴構成は、前記尻栓本体部を、前記雄ネジ部と前記回転面部とを形成した筒状アダプター部と、その筒状アダプター部を被嵌合支持する本体部とで構成する点にあり、その作用効果は次の通りである。
【００１４】
〔作用効果〕
筒状アダプター部を設けることによって、雄ネジ部を元竿の装入内部空間内に位置させて尻栓を転動させる状態に取付けた場合に、尻栓本体部の回転面部が例え元竿側の雌ネジ部に支持される状態、または、尻栓側の係合突起部が元竿側の前記係合支持部に係合する状態で尻栓本体部の回転面部が例え元竿側の雌ネジ部に接触することがあって、回転面部が長期使用によって傷みを生ずる場合であっても、この筒状アダプター部を取り換えることができ、尻栓自体を支障なく使用を継続できる。
【図面の簡単な説明】
【００１５】
【図１】元竿に尻栓を取り付けた状態を示す斜視図である。
【図２】（ａ）尻栓を元竿に取り付ける前の状態を示す分解縦断側面図、（ｂ）尻栓の雄ネジ部を元竿の雌ネジ部に螺合させて、尻栓を取り付けている状態を示す縦断側面図、（ｃ）雄ネジ部を雌ネジ部との螺合から解除して、装入内部空間内に装入し、尻栓を所定位置に取り付けた状態を示す縦断側面図である。
【図３】（ａ）リング体に環状係合支持部を設け、尻栓の大径フランジ部に係合突起部を設けて、尻栓と元竿との係合構造を構成し、尻栓を元竿に取り付ける前の状態を示す縦断側面図、（ｂ）尻栓を元竿に取り付けた状態を示す縦断側面図である。
【図４】（ａ）筒状アダプター部を本体部に取り付ける前の状態を示す分解縦断側面図、（ｂ）筒状アダプター部を本体部に取り付けた状態を示す縦断側面図である。
【発明を実施するための形態】
【００１６】
〔第１実施形態〕
図１及び図２に示すように、釣り竿Ａは、元竿１の竿元側端部１Ａに尻栓２を装着してある。元竿１の竿元側端部１Ａには、竿元側端面１ａを開放する内部空間が形成されており、その内部空間の内周面に竿元端側から尻栓取付用リング体３が装着してある。
【００１７】
尻栓取付用リング体３は、元竿１の竿元側端部１Ａの内部空間内に位置する筒状部３Ａと筒状部３Ａの竿元側に位置するフランジ部３Ｂとで構成されている。筒状部３Ａは竿元側端部１Ａの内周面に内接する状態で配置されており、フランジ部３Ｂは、元竿１の竿元側端部１Ａの竿元側端面１ａに竿元側から当接している。筒状部３Ａの内周面３Ｃには雌ネジ部３ａが形成されており、尻栓２を元竿１に取り付ける際に利用される（尻栓取付用リング体３は元竿本体と別体で構成されるものを示したが、元竿側端面に内部空間を形成し元竿の竿元側に直接雌ネジ加工されたものであってもよい）。
【００１８】
尻栓取付用リング体３の筒状部３Ａの先端３ｂは、その尻栓取付用リング体３が元竿１の竿元側端部１Ａに装着された状態で、内部空間の奥側壁１ｂに達しない長さに設定されており、尻栓取付用リング体３の筒状部３Ａの先端３ｂより竿先側には、雌ネジ部３ａのネジ内径より大きな内径を備えた後記する装入内部空間Ｐが形成されている。
尻栓取付用リング体３の材質としては、アルミ等の軽量金属、硬質合成樹脂、合成ゴム等が使用可能である。
【００１９】
尻栓２について説明する。図２（ａ）〜（ｃ）に示すように、尻栓２は、尻栓本体部４とその尻栓本体部４に装着されている摘み操作部５とで構成されている。
尻栓本体部４は、筒状軸部４Ａとその竿元側に位置する摘み操作が可能なフランジ状取付部４Ｂとでなる。筒状軸部４Ａの外周面には、竿先側に雄ネジ部４ａが形成され、その雄ネジ部形成部位より竿元側に回転面部４ｂが形成されている。回転面部４ｂの外径は、雄ネジ部のネジ外径より小径に形成されている。
【００２０】
図２に示すように、フランジ状取付部４Ｂは、竿先側に位置する大径の大径フランジ部４ｃと竿元側に位置する小径の小径フランジ部４ｄとを一体で形成して、小径フランジ部４ｄに摘み操作部５を取付けるように構成してある。大径フランジ部４ｃと小径フランジ部４ｄとを一体構造に繋ぐ連結筒状部４ｅが設けてあり、大径フランジ部４ｃと小径フランジ部４ｄとの間で連結筒状部４ｅの外側に係合用凹部４ｆが形成されている。
小径フランジ部４ｄの竿元側端面には竿元側端程小径となる誘導傾斜面４ｇが形成してあり、摘み操作部５を小径フランジ部４ｄに装着する際の誘導面として機能させるように構成してある。
筒状軸部４Ａの材質としては、アルミ等の軽量金属、ナイロン等のエンジニアリング樹脂等が使用される。
【００２１】
図２に示すように、摘み操作部５は、円形外周面を備える操作本体部５Ａに、竿先側に開口する係合内部空間５ａを形成してある。その係合内部空間５ａ内に小径フランジ部４ｄを装入することによって、摘み操作部５自体を小径フランジ部４ｄに取付けるように構成してある。摘み操作部５の係合内部空間５ａにおける竿先側開口５ｂに対応する位置には、竿先側開口５ｂを囲む係合用鍔部５ｃが内向きに突出する状態で設けてある。
【００２２】
係合用鍔部５ｃは、摘み操作部５が小径フランジ部４ｄに取り付けられる際に、誘導傾斜面４ｇに押し当てられる状態で押し込み操作されると、その誘導傾斜面４ｇに誘導される状態で竿先側開口５ｂを拡径しながら、小径フランジ部４ｄの外周縁を乗り越えて、小径フランジ部４ｄに形成された係合用凹部４ｆに係合する。
【００２３】
以上のような構成により、図２（ｂ）に示すように、摘み操作部５を取り付けた尻栓２の雄ネジ部４ａを元竿１側の雌ネジ部３ａに螺合させて、尻栓２を元竿１に取付ける。その状態から尻栓２を更に操作して螺進させることによって、図２（ｃ）で示すように、雄ネジ部４ａと雌ネジ部３ａとの螺合が外れて、雄ネジ部４ａを形成した筒状軸部４Ａの竿先側部分が元竿１内の装入内部空間Ｐ内に装入される。
【００２４】
そうすると、雄ネジ部４ａより竿元側に形成された回転面部４ｂが雌ネジ部３ａの形成部位に至り支持される状態となり、尻栓２は外力を受けて竿軸芯Ｘまわりに螺進することなく回転することができる。
このような使用状態より尻栓２を取り外すには、尻栓２を僅かに竿元側に引き操作しながら雄ネジ部４ａの竿元側端を雌ネジ部３ａの竿先側端に噛み込ませることによって、雄ネジ部４ａと雌ネジ部３ａを螺合させることができ、尻栓２を竿元側に螺進させることによって、図２（ａ）に示すように、取り外すことができる。
摘み操作部５としては、スチレン等の合成樹脂、または、ＮＢＲ等合成ゴムが採用される。
【００２５】
〔第２実施形態〕
第１実施形態と異なる部分について主として説明する。ここでは、尻栓２を所定位置に装着した状態で、筒状軸部４Ａの回転面部４ｂと元竿１の尻栓取付用リング体３の雌ネジ部３ａとが直接接触しない構成を提示する。
図３に示すように、尻栓取付用リング体３のフランジ部３Ｂから竿元側に向けて係合支持部として環状係合支持部３ｄを延出するとともに、尻栓２のフランジ状取付部４Ｂにおける大径フランジ部４ｃの外縁部より竿先側に向けて係合突起部としての環状係合突起部４ｈを形成してある。
【００２６】
上記したような構成を設けることによって、尻栓２の筒状軸部４Ａの雄ネジ部４ａを元竿１のリング体３における雌ネジ部３ａに螺合させた状態で尻栓２を螺進させると、雄ネジ部４ａと雌ネジ部３ａの螺合が外れる前の段階で環状係合突起部４ｈが環状係合支持部３ｄに係合し、更に、尻栓２の雄ネジ部４ａが雌ネジ部３ａから外れると環状係合突起部４ｈが環状係合支持部３ｄとの係合を完了する。
【００２７】
そうすると、筒状軸部４Ａの回転面部４ｂはリング体３の雌ネジ部３ａから離間した状態に維持される。この場合に、環状係合突起部４ｈと環状係合支持部３ｄとの係合状態がきついものであれば、尻栓２は多少の力を受けても回転しないが、係合状態が緩やかなものであれば、腹部等からの押し付け力を受けて回転することもある。
【００２８】
〔第３実施形態〕
第１、第２実施形態と異なる部分について主として説明する。ここでは、尻栓２における筒状軸部４Ａの構成を二部材で構成する形態について説明する。
図４に示すように、筒状軸部４Ａを、雄ネジ部４ａと回転面部４ｂとを形成した筒状アダプター部４Ｃと、その筒状アダプター部４Ｃを被嵌合支持する本体部４Ｄとで構成する。本体部４Ｄは、大径フランジ部４ｃより一体で竿先側に延出された筒状体である。
【００２９】
以上のような構成によって、筒状軸部４Ａの回転面部４ｂが尻栓取付用リング体３の雌ネジ部３ａに支持される状態になって傷みを生じた場合であっても、筒状アダプター部４Ｃを取り換えることによって、尻栓２全体を取り換える必要はない。
【００３０】
〔別実施形態〕
（１）尻栓本体部として筒状軸部４Ａを形成したが、筒状ではなく中実軸部であってもよい。
（２）尻栓２としては、尻栓本体部４と摘み操作部５を組み合わせて構成しているが、これらを合成樹脂等で一体構成物に形成してもよい。
（３）元竿１に尻栓取付用リング体３を取り付けているが、元竿側端面に内部空間を形成し元竿の竿元側に直接雌ネジ加工して、尻栓取付用リング体３を省略して、元竿１の竿元側端部１Ａの内周面に直接、尻栓２を取り付けるための雌ネジ部を形成してもよい。
（４）係合支持部３ｄ及び係合突起部４ｈは共に環状に形成されているが、完全な環状ではなく、円周方向での位相の一部に切り欠き部分があってもよい。
（５）尻栓を実施例として示したが、元竿尻部に取り付けられる「ひじ当て」、「グリップ」等の元竿尻部にネジによって取り付けられるものに適用される。
【産業上の利用可能性】
【００３１】
本願発明は、振出竿だけでなく、並継竿、インロー継竿にも適用できる。
【符号の説明】
【００３２】
１        元竿
１Ａ      竿元側端部
２        尻栓
３ａ      雌ネジ部
３ｄ      係合支持部
４Ａ      尻栓本体部
４Ｂ      フランジ状取付部
４Ｃ      筒状アダプター部
４Ｄ      本体部
４ａ      雄ネジ部
４ｂ      回転面部
４ｈ      係合突起部
５        摘み操作部
Ｐ        装入内部空間
【図１】
0005570184.tif 000002
【図２】
0005570184.tif 000003
【図３】
0005570184.tif 000004
【図４】
0005570184.tif 000005